(57)【特許請求の範囲】
【請求項１】
電気信号を処理する信号処理部と、信号処理部からの電気信号を上流装置および下流装置に送信する信号送信部と、一次側電力を入力して装置各部に二次側電力を供給する電源部とを備えた通信装置において、電源部の一次側電力の切断を検出する電源断検出手段と、電源部の一次側に直列接続されたヒューズの溶断を検出するヒューズ溶断検出手段と、電源部の一次側電力の切断時又はヒューズ溶断時に少なくとも所定時間にわたり装置各部に電力を供給するバックアップ電源と、信号処理部から上流装置および下流装置に送信される電気信号に電源断検出手段およびヒューズ溶断検出手段の出力に基づいて一次側電力切断およびヒューズ溶断に関する断情報を付加する断情報付加手段、とを備えたことを特徴とする通信装置。
【発明の詳細な説明】
【０００１】
【発明の属する技術分野】
本発明は、電話通信などに使用する通信装置に係り、より詳しくは、自装置の電源障害に関する情報を上流装置や下流装置に通知する機能を備えた通信装置に関する。
【０００２】
【従来の技術】
特開平7-306735号には、情報処理システムにおいて、入出力装置の電源異常が発生した時に電源異常を検出し、電源異常の内容と電源異常が発生した装置とを上位装置に報告可能な電源制御方式が開示されている。
【０００３】
【発明が解決しようとする課題】
この従来方式の問題点は、電源異常の情報を上位装置に通知するために上位装置との間に電源障害通知専用の電源制御インターフェース（信号線）を必要とするので、上位装置とのインターフェースの数が増加するということである。
【０００４】
この従来方式の他の重要な問題点は、単に電源障害の有無のみが上位装置に通知されるので、上位装置の側では、電源プラグの抜き去りや電源スイッチの切断のような通常の意図的な操作による電源断と、ヒューズの溶断（装置の故障による）に基づく電源断とを判別することができないということである。このため、電源プラグの抜き去りや電源スイッチの切断などにより意図的に電源が遮断された場合でも、上位装置の側で電源障害の通知を受ける度に装置の点検をしなければならず、不要な保守稼働が発生するという難点がある。
【０００５】
本発明の目的は、電源制御インターフェースを必要とせず、回路構成を簡素化しながらも、電源障害を上流装置や下流装置に通知することの可能な通信装置を提供することにある。
本発明の他の目的は、電源プラグの抜き去りや電源スイッチの切断のような意図的な操作に起因する電源障害と、ヒューズの溶断に起因する電源障害とを区別して上流装置や下流装置に通知することが可能で、不要な保守稼働を削減することの可能な通信装置を提供することにある。
【０００７】
【課題を解決するための手段】
本発明は、電気信号を処理する信号処理部と、信号処理部からの電気信号を上流装置および下流装置に送信する信号送信部と、一次側電力を入力して装置各部に二次側電力を供給する電源部とを備えた通信装置において、電源部の一次側電力の切断を検出する電源断検出手段と、電源部の一次側に直列接続されたヒューズの溶断を検出するヒューズ溶断検出手段と、電源部の一次側電力の切断時又はヒューズ溶断時に少なくとも所定時間にわたり装置各部に電力を供給するバックアップ電源と、信号処理部から上流装置および下流装置に送信される電気信号に電源断検出手段およびヒューズ溶断検出手段の出力に基づいて一次側電力切断およびヒューズ溶断に関する断情報を付加する断情報付加手段、とを備えたことを特徴とするものである。
【０００９】
本発明によれば、一次側電力切断およびヒューズ溶断に関する断情報は、上流装置および下流装置に送信される電気信号の特定箇所に割り当てることにより上流装置および下流装置に送信されるので、専用のインターフェースを必要としない。その結果、回路構成を簡素化することができる。
また、電源断情報およびヒューズ断情報の双方が上流装置および下流装置に送信されるので、上流装置や下流装置の側では、電源プラグの抜き去りや電源スイッチの切断のような意図的な操作に起因する電源障害から区別して、装置故障によるヒューズの溶断に起因する電源障害を瞬時に特定することができる。その結果、不要な保守稼働を節減することができる。
【００１０】
【発明の実施の形態】
図１には本発明をディジタル・サービス・ユニット（DSU）のような通信装置に適用した実施例を示す。
図１を参照するに、図示した実施例では、通信装置１１は、パーソナルコンピュータのような下流装置１２と電話局交換機のような上流装置１３との間の通信に使用される。
【００１１】
通信装置１１は、下流装置１２および上流装置１３からの信号を夫々受信する信号受信部１４および１８と、入力信号の終端と各種アラームの検出を行う信号処理部１６と、下流装置１２および上流装置１３に信号を送出する信号送信部１５および１７を有する。
通信装置１１は電源プラグ２７を備え、この電源プラグ２７はヒューズ２１と電源スイッチ２２を介して電源装置２０に接続されている。ヒューズ２１は、ヒューズの溶断に伴い接点端子２１ａの出力が変化する（例えば高レベルになる）形式のものである。
電源装置２０は、電源プラグ２７からの一次側電力を入力して直流のような二次側電力を通信装置１１の各部に供給する電源変換部２５を有する。
【００１２】
電源装置２０には、更に、一次側電圧の低下を検出する電圧低下検出部２３と、一次側電圧により充電されるコンデンサからなる充電部２４が設けてあり、一次側電力の意図的切断又はヒューズ２１の溶断に伴い一次側電圧が低下した時に少なくとも所定時間にわたり装置各部に電力を供給するようになっている。
【００１３】
通信装置１１は、更に、電源情報通知部１９を有する。電源情報通知部１９内には、ヒューズ２１の接点端子２１ａおよび電圧低下検出部２３に接続された断情報付加部２６が設けてある。断情報付加部２６は、ヒューズ接点端子２１ａおよび電圧低下検出部２３の出力に応答して、信号処理部１６から信号送信部１５および１７に出力される信号に断情報（一次側電力切断およびヒューズ溶断に関する情報）を表す信号を付加する。
【００１４】
次に、図２および図３を併せて参照しながら、この実施例の通信装置１１の動作について説明する。
初めに、通信装置１１の一般的動作について説明するに、電源プラグ２７をコンセントに差し込み、電源スイッチ２２をOFF状態からON状態にする（図２の時間Ｔ１）と、電源装置２０の一次側に電圧が印加され、電源変換部２５により二次側電力が出力され、装置各部に供給される。また、電源装置２０の充電部２４は充電される。
【００１５】
二次側出力がON状態になると、通信装置１１は、上流装置１３からの信号を信号受信部１８で受信し、信号処理部１６で入力信号の終端と各種アラームの検出等を行い、信号送信部１５から下流装置１２へと信号を送出する。同様に、下流装置１２からの信号についても、信号受信部１４で信号を受信し、信号処理部１６で入力信号の終端と各種アラームの検出等を行い、信号送信部１７から上流装置１３へと信号を送出する。
【００１６】
次に、電源情報の通知について説明する。
（１）一次側電源正常時
通常時（電源プラグ２７が差し込んであり、電源スイッチ２２が投入されており、かつ、ヒューズ２１が溶断していない時）には、ヒューズ接点端子２１ａは断情報付加部２６へヒューズ断情報“正常”を出力し、電圧低下検出部２３は断情報付加部２６へ電源断情報“正常”を出力する。
断情報付加部２６は、ヒューズ接点端子２１ａおよび電圧低下検出部２３からの情報に基づいて、図３に示したように、上流装置１３および下流装置１２への出力信号のヘッダ部のｎビット目およびｎ＋１ビット目に、一次側電圧およびヒューズがいづれも“正常”であることを表す２ビットの断情報信号“００”を付加する。
【００１７】
（２）一次側電源遮断時
通信装置１１内の電源装置２０の二次側出力がON状態の時に、電源プラグ２７の抜き去り又は電源スイッチ２２の開放によって一次側電圧が遮断された場合（図２の時間Ｔ２）には、電圧低下検出部２３は電圧低下を検出し（図２の時間Ｔ３）、電源断情報“異常”を断情報付加部２６および充電部２４に出力する。なお、この時ヒューズ接点端子２１ａから断情報付加部２６へ出力されるヒューズ断情報は“正常”である。
断情報付加部２６は、ヒューズ接点端子２１ａおよび電圧低下検出部２３からの情報に基づいて、図３に示したように、上流装置１３および下流装置１２への出力信号のヘッダ部のｎビット目およびｎ＋１ビット目に、一次側電圧が“異常”であるがヒューズは“正常”であることを表す２ビットの信号“０１”を付加する。
【００１８】
また、電圧低下検出部２３から電源断情報“異常”を受信した充電部２４は、電源変換部２５に対してＴｈ秒間放電を行う。電源変換部２５は、一次側の電源が断となっても、充電部２４からの放電時間Ｔｈのうち、二次側出力を正常に生成できるＴｄ秒間二次側出力を維持し続ける。この間は通信装置１１は正常に動作し、上流装置１３および下流装置１２への出力信号に断情報“０１”を付加し続ける。
充電部２４から電源変換部２５への放電が終わると、電源部の二次側出力はOFFとなり（図２の時間Ｔ４）、上流装置１３および下流装置１２への出力信号も断状態となる。
【００１９】
上流装置１３および下流装置１２は、一次側電源正常時および二次側出力を正常に生成できる時間Ｔｄの間に通信装置１１から受信した断情報を監視し、通信装置１１の電源断情報およびヒューズ断情報を検出することができる。上流装置１３および下流装置１２は、通信装置１１から断情報“０１”を受信した場合には、この後電源断となり、通信装置１１からの信号が断となることを瞬時に予測することができる。また、上流装置１３および下流装置１２は、断情報“０１”に基づいて、通信装置１１のヒューズは“正常”であり、電源プラグ２７の抜き去り又は電源スイッチ２２の開放によって一次側電圧が遮断されたことを特定することができる。従って、この場合には通信装置１１に関するアラームは出されず、通信装置１１の点検は行われない。
【００２０】
（３）ヒューズ溶断時
通信装置１１内の電源装置２０の二次側出力がON状態の時に、ヒューズ２１が過電流によって溶断した場合には、ヒューズ接点端子２１ａはヒューズ断情報“異常”を断情報付加部２６に出力する。
この時、電源装置２０の一次側電圧が断となるので、電圧低下検出部２３は電源断情報“異常”を断情報付加部２６および充電部２４に出力する。
断情報付加部２６は、ヒューズ接点端子２１ａおよび電圧低下検出部２３からの情報に基づいて、図３に示したように、上流装置１３および下流装置１２への出力信号のヘッダ部のｎビット目およびｎ＋１ビット目に、一次側電圧およびヒューズのいづれもが“異常”であることを表す２ビットの断情報“１０”を付加する。
【００２１】
また、電圧低下検出部２３から電源断情報“異常”を受信した充電部２４は、電源変換部２５に対して放電を行う。電源変換部２５は、一次側の電源が断となっても、Ｔｄ秒間だけ二次側出力電圧を維持し続ける。通信装置１１は放電時間Ｔｄ秒間は正常に動作し、その間上流装置１３および下流装置１２への出力信号に断情報“１０”を付加し続ける。充電部２４から電源変換部２５への放電時間Ｔｄが経過すると、電源装置２０の二次側出力はOFFとなり、上流装置１３および下流装置１２への出力信号も断状態となる。
【００２２】
上流装置１３および下流装置１２は、通信装置１１から受信した断情報を監視し、断情報“１０”を受信した場合には、この後通信装置１１からの信号が断となることを瞬時に予測することができると共に、通信装置１１のヒューズが溶断したことを特定することができる。この場合には上流装置１３はアラームを発し、通信装置１１の保守点検を促すことができる。
【００２３】
【発明の効果】
本発明によれば、電源断情報およびヒューズ断情報は、上流装置および下流装置に送信される電気信号の特定箇所に割り当てることにより、上流装置および下流装置に送信される電気信号と共に上流装置および下流装置に送信されるので、専用のインターフェースを必要としない。その結果、回路構成を簡素化することができる。
【００２４】
また、電源断情報およびヒューズ断情報の双方を表す情報が上流装置および下流装置に送信されるので、上流装置や下流装置の側では、電源プラグの抜き去りや電源スイッチの切断のような意図的な操作に起因する電源障害から区別して、装置故障によるヒューズの溶断に起因する電源障害を瞬時に特定することができる。その結果、意図的な電源断によって生じる不要なアラームの発生などを事前にマスクすることができ、不要な保守稼働を節減することができる。
【図面の簡単な説明】
【図１】本発明の実施例に係る通信装置のブロック図である。
【図２】図１に示した通信装置における電源断時の各部の状態を示すタイミングチャートである。
【図３】図１に示した通信装置の出力信号のフォーマットの一例を示す。
【符号の説明】
１１：  通信装置
１２：  下流装置
１３：  上流装置
１５、１７：  信号送信部
１６：  信号処理部
２３：  電圧低下検出部（電源断検出手段）
２１：  ヒューズ
２１ａ：  ヒューズ溶断検出手段
２４：  バックアップ電源
２５：  電源部
２６：  断情報付加手段
【図１】
0003838772.tif 000002
【図２】
0003838772.tif 000003
【図３】
0003838772.tif 000004